(57)【要約】【課題】クラブヘッドの前端底縁を良好に保護でき、堅固であるゴルフクラブヘッドを提供する。【解決手段】本体２０と、打球構成部品３０とを有する。本体２０は、ボディ２１およびネック２２を有し、金属により製造されている。打球構成部品３０は、本体２０の材質に較べて硬い金属により製造され、フェース３１およびソール３２を有し、フェース３１の底端から後ろに向かって延伸されて一体成型されている。打球構成部品３０は、周縁と本体２０のボディ２１が接合されていて、フェース３１の背面およびソール３２の頂面のフェース３１の位置に近い部分は中空状になっていて、ソール３２の尾端とボディ２１の接合位置はクラブヘッドの底部の中心よりも後側に向かって偏っている。【選択図】図３
2009066265.tif 000002
【特許請求の範囲】
【請求項１】
ボディおよびネックを有し、金属により製造される本体と、
フェースとフェースの底端から後ろに向かって延伸されて一体成形されるソールとを有し、本体の材質に較べて硬い金属により製造される打球構成部品と、
を備え、
前記打球構成部品の周縁とボディとは接合され、フェースの背面とソールの背面のうちフェースの背面に近い部分とは中空状になっていて、ソールの尾端は、ボディの底部の中心よりも後側の位置でボディと接合されることを特徴とするゴルフクラブヘッド。
【請求項２】
前記打球構成部品は、ＨＲＣ硬度が３０から４５の金属材料により製造されていることを特徴とする請求項１記載のゴルフクラブヘッド。
【請求項３】
前記打球構成部品のフェースの厚みは、１．８ｍｍから３．５ｍｍの間で、ソールの厚みは１．０ｍｍから２．５ｍｍの間であることを特徴とする請求項１記載のゴルフクラブヘッド。
【請求項４】
前記本体のボディは、上部囲み部および下部囲み部を有し、前記打球構成部品はフェースの上端縁と前記上部囲み部が接合され、ソールの尾端と前記下部囲み部が接合され、前記本体のボディの下部囲み部の上方はフェースの方向に向かって延伸されウエイトを形成し、前記ウエイトとフェースとの間およびソールとの間は間隔が保たれていることを特徴とする請求項１記載のゴルフクラブヘッド。
【請求項５】
前記本体のウエイトのソールの下部囲み部の近くの位置には若干の突起が設けられ、前記打球構成部品のソールの尾端の背面と前記突起とは接合されていることを特徴とする請求項４記載のゴルフクラブヘッド。
【請求項６】
前記本体のボディは、先端部、かかと部、上部囲み部および下部囲み部により形成されているループを有していることを特徴とする請求項４記載のゴルフクラブヘッド。
【請求項７】
本体のループ状のボディの中間には背部部品が設けられ、ボディの中間の通し孔を塞いでいることを特徴とする請求項６記載のゴルフクラブヘッド。
【請求項８】
前記背部部品は、プラスチックあるいは繊維補強樹脂により製造されていることを特徴とする請求項７記載のゴルフクラブヘッド。
【請求項９】
前記打球構成部品のフェースの頂端は、後ろに向かって延伸されて頂部が形成され、前記頂部と本体のボディの頂端とが接合されていることを特徴とする請求項１記載のゴルフクラブヘッド。
【請求項１０】
前記打球構成部品のフェースの頂端は、後ろに向かって延伸されて頂部が形成され、頂部の末端から下に向かって延伸されて端部が形成され、前記端部と本体のボディの頂端が接合されていることを特徴とする請求項１記載のゴルフクラブヘッド。
【請求項１１】
ボディおよびネックを有し、ＨＲＣ硬度３０以下の軟質金属材料により一体成形製造される本体と、
フェースおよびソール、およびフェースの頂端から後ろに向かって延伸される頂部を有し、ＨＲＣ硬度３０以上の硬質金属材料により一体成形製造される打球構成部品と、
を備え、
前記本体のボディは上部囲み部、下部囲み部、先端部、およびかかと部を有し、前記打球構成部品は頂部の末端と前記本体のボディの上部囲み部とが接合され、かつ、ソールの尾端と前記本体のボディの下部囲み部とが接合され、前記ソールと下部囲み部は底部の中心よりも後側の位置でボディと接合され、前記本体のボディの下部囲み部の上方はフェース方向に向かって延伸されウエイトを形成し、前記ウエイトと、フェースおよびソールとの間には間隔が保たれていることを特徴とするゴルフクラブヘッド。
【発明の詳細な説明】
【技術分野】
【０００１】
本発明は、ゴルフクラブヘッドに関し、特に、一種の軟質金属により成形された本体、硬質金属により一体成形された打球面およびソールを有するゴルフクラブヘッド構造に関する。
【背景技術】
【０００２】
従来の軟質金属（軟鉄など）により成形されたゴルフクラブヘッドは、ネックが容易に角度調整でき、ボールコントロールに優れるという長所を有しているが、フェースの溝が打球時の強い力を受けて破損し、ソールが地面と摩擦して破損しやすいという欠点がある。フェースの強化は効果的であり、例えば、比較的硬い材質によりフェース板を成形して打球面に固定することがある。しかし、この場合、ボールコントロール性を低下させるため、改善方法として、成形されたカップ状の打球フェースにより、カップ状打球フェースの比較的優れた湾曲弾性という長所を利用することで、ボールコントロール性を向上させることができる。ソールの耐摩耗性を改善するためには、比較的硬い材質を選び、ソール板を製造することがあるが、従来のクラブヘッドの打球フェースとソールは通常別々に装着されているため、軟質金属のクラブヘッド本体の前端底縁部が保護されにくく、破損しやすい。
【発明の開示】
【発明が解決しようとする課題】
【０００３】
本発明の目的は、軟質金属による本体および硬質金属による打球フェース板とソール板による二重の長所特性を有し、クラブヘッドフェースとソールは一体成形されていて、クラブヘッド前端底縁を良好に保護できるゴルフクラブヘッドを提供することである。
【課題を解決するための手段】
【０００４】
上述の目的を達成するため、本発明の提供する一種のゴルフクラブヘッドは、以下のものを含む。本体は、ボディとネックを有し、金属により製造されている。打球構成部品は、本体材質が硬い金属により製造されていて、フェースおよびソールを有している。フェースの底端から後ろに向かって延伸され一体成形されていて、前記打球構成部品は周縁と本体のボディが接合されている。且つフェース背部および底部の背面のフェースに近い位置は中空状になっていて、且つソール尾端とボディが接合された位置はクラブヘッドの底部の中心よりも後側に向かって偏っている。
【発明を実施するための最良の形態】
【０００５】
以下に二つの実施例について、図を参照して説明する。
（第１実施例）
図１から図４に示すように、本発明の第１実施例によるゴルフクラブヘッドは、クラブヘッド１０が以下のものを含む。
本体２０は、硬度（ＨＲＣ）３０以下の金属材料により鋳造一体成形されていて、本実施例においては、ステンレス３０４により本体が製造され、その硬度は５〜６（ＨＲＣ５〜６）となり、相当軟らかく、ボディ２１およびネック２２を有している。ボディ２１は、上部囲み部２１１、下部囲み部２１２、先端部２１３およびかかと部２１４を有し、中央には通し孔２１５を有し、ループ状を呈していて、下部囲み部２１２上方には上に伸びたウエイト２１６を有している。
【０００６】
打球構成部品３０は、硬度（ＨＲＣ）３０以上の硬質金属材料により鋳造一体成形されていて、例えば、チタニウム合金（β６−４チタン、ＨＲＣ３０〜４０）あるいはステンレス４５０（ＨＲＣ４０〜４２）、ステンレス１７４（ＨＲＣ３０）、マレージング鋼４６５などにより製造され、フェース３１およびソール３２を有している。前記打球構成部品３０は、フェース３１上端縁と前述の本体ボディの上部囲み部２１１が接合されていて、ソール３２尾端縁と前述の下部囲み部２１２もまた接合されている。前記ウエイト２１６はフェース３１方向に向かって延伸されていて、フェース３１とソール３２の間には間隔が保たれている。すなわち、打球構成部品３０は周縁において本体２０のボディ２１に接合されていて、且つフェース３１の背面およびソール３２の頂面のフェース３１に近い部分は中空状を呈している。且つソール３２尾端とボディ２１の接合位置（Ａ）（図３に表示）は、クラブヘッド１０のソール中心線位置（Ｂ）を超えて後側に向かって偏っている。部品の接合方法については、溶接（Welding）、ろう付け（Brazing）あるいは両者を同時に採用するなどしてもよい。前記打球構成部品３０のフェース３１の厚みは、１．８ｍｍから３．５ｍｍの間が最適であり、充分な構造強度および撓り弾性を提供することとなる。ソール３２の厚みは１．０ｍｍから２．５ｍｍの間でよく、耐摩耗性を提供し、比較的薄いことにより、比較的優れた撓り弾性を提供し、打球面のボールコントロール性能は比較的優れたものとなる。
【０００７】
図３、図４に示すように、本実施例は、ウエイト２１６の底面が下部囲み部２１２に接近した位置に若干の突起２１７が設けられ、前記打球構成部品３０のソール３２尾端頂面と前記突起２１７が接合し、このような構造により、組み付け作業に有利に働き、また、ソール３２とウエイト２１６の間隔を保つ役割も果たしている。
図３、図４に示すように、本実施例は、環状形のボディ２１の中間に背部部品４０を有していて、ボディ２１中間の通し孔２１５を塞ぐのに用いられる。該背部部品４０はプラスチックあるいは繊維補強樹脂により製造することができ、クラブヘッドの重量軽減が可能となる。また、背部部品４０上に商標、その他背部の造形あるいはデザインを施すことが容易で、メーカーは、多様な消費者の需要を満足させるべく、背部部品をきわめて容易に変更することができる。
【０００８】
（第２実施例）
図５から図１０に示すように、本発明の第２実施例によるゴルフクラブヘッドは、クラブヘッド５０が本体６０および打球構成部品７０を含んでいる。
図９、図１０に示すように、前記打球構成部品７０のフェース７１は、頂端が後ろに向かって延伸して頂部７３を形成し、頂部７３末端から下へ向かって延伸された端部７４を有し、端部７４には押さえ溝７４１が設けられていて、打球構成部品７０のソール７２尾端には凸部７２１が設けられている。前記本体６０のボディ６１の上部囲み部６１１には押さえ鈎６１１１が設けられていて、前記の押さえ溝７４１に嵌められていて、ボディ６１の下部囲み部６１２には凹溝６１２１を有していて、前記の凸部７２１を嵌め込むことができ、さらに、ろう付けすることにより、ろう付け材料が嵌め込み部分の隙間を埋め、図５から図９が示す接合部位が凸状を呈することになる。これらの部位は、最後に磨きをかけることにより、接合の跡を消すことができる。
【０００９】
第２実施例の本体のボディ６１中間には通し孔はなく、したがって、背部部品は存在しない。
第２実施例の頂部７３の幅は５ｍｍ〜６ｍｍの間に設定することが可能で、この種の打球構成部品７０は頂部７３とソール７２が比較的薄くて長く、これにより、極めて優れたばね効果を有することになり、フェース７１は比較的大きな湾曲変形を生み、且つ打球の際、頂部７３およびソール７２が比較的大きく湾曲変形することにより、強大な衝撃応力を吸収し、これにより、接合面の受ける応力は相対的に小さくなり、クラブヘッド構造を更に堅固で、容易に壊れないものとしている。
【図面の簡単な説明】
【００１０】
【図１】本発明の第１実施例によるゴルフクラブヘッドを示す正面図である。
【図２】本発明の第１実施例によるゴルフクラブヘッドを示す底面図である。
【図３】図１を３−３線で切断した断面図である。
【図４】本発明の第１実施例によるゴルフクラブヘッドを示す分解斜視図である。
【図５】本発明の第２実施例によるゴルフクラブヘッドを示す正面図である。
【図６】本発明の第２実施例によるゴルフクラブヘッドを示す底面図である。
【図７】本発明の第２実施例によるゴルフクラブヘッドを示す上面図である。
【図８】本発明の第２実施例によるゴルフクラブヘッドを示す側面図である。
【図９】図５を９−９線で切断した断面図である。
【図１０】本発明の第２実施例によるゴルフクラブヘッドを示す分解斜視図である。
【符号の説明】
【００１１】
１０：クラブヘッド、２０：本体、２１：ボディ、２２：ネック、３０：打球構成部品、３１：フェース、３２：ソール、４０：背部部品、５０：クラブヘッド、６０：本体、６１：ボディ、７０：打球構成部品、７１：フェース、７２：ソール、７３：頂部、７４：端部、２１１：上部囲み部、２１２：下部囲み部、２１３：先端部、２１４：かかと部、２１５：通し孔、２１６：ウエイト、２１７：突起、６１１：上部囲み部、６１２：下部囲み部、７２１：凸部、７４１：押さえ溝、６１１１：押さえ鈎、６１２１：凹溝
【図１】
2009066265.tif 000003
【図２】
2009066265.tif 000004
【図３】
2009066265.tif 000005
【図４】
2009066265.tif 000006
【図５】
2009066265.tif 000007
【図６】
2009066265.tif 000008
【図７】
2009066265.tif 000009
【図８】
2009066265.tif 000010
【図９】
2009066265.tif 000011
【図１０】
2009066265.tif 000012